Podtech/llm-jp-corpus-v4-ja_patent huggingface dataset:
(57)【要約】【課題】蓄電池を構成するシステムの場合、課題とされたことは蓄電池の消耗とこれに伴う対応である  対応方法は種々あるが消耗した蓄電池を新しい蓄電池と取り替える事が最近まで実施されてきた、しかし以前より効率的システムが提案されているがそれは大半実用化していないその理由は各考案が合理性を欠いているからである。【解決手段】よって本考案は蓄電池消耗に伴う蓄電池交換の件を解決することに重点を置いて蓄電装置に考案のポイントをおいた即ち蓄電システムを考案して該システムを個別システムに組み込むこととしたこの様にすれば本件考案は広範にわたり応用可能となる考案のポイント（１）蓄電池で駆動するモーターを用意する（２）シヤフトを充発電機が可動するように加工し該シヤフトを該モーターに取り付けモーターの駆動でシヤフトを回転させ充発電機を稼働させる【選択図】図１
2009261205.tif 000002
【特許請求の範囲】
【請求項１】
蓄電池を使用して駆動するモーターを利用して充発電機を可動させる蓄電装置
【請求項２】
前項の場合モーターにシヤフト等の附属部品を回転するように取り付け、シヤフト等の回転に伴い１個乃至複数個の充発電機が可動するように構成した蓄電装置
【発明の詳細な説明】
【技術分野】
【０００１】  蓄電装置に関する分野
【背景技術】
【０００２】  従来蓄電池が消耗した場合、新しい蓄電池と交換されていたがこれを廃止し蓄電システムを特定システムの中に組み込むことによりこの作業が必要なくなる。電気容量が少なくて機能可能な可動システムは本蓄電装置が使用可能となる【０００３】以下，図２により従来の充・発電方式について説明する【０００４】
【特許文献】  特開６−１６９５０５号  公報
【発明の開示】
【発明が解決しようとする課題】
【０００５】充・発電機を可動しようとしてもそれらを合理的に可動することができない為蓄電出来ず前述課題を解決することができなかつた【０００６】充発電機を合理的に可動する事が出来ず今日に至っている
この課題を解決するには本件考案が必要である【０００７】本考案はこのような従来の発明が有していた課題を解決するものであり充・発電機の可動の役割を蓄電池で駆動するモーターとそれに取り付けたシャフト等の附属部品に担わせるものであるそうすれば従来の課題である充・発電機の可動問題が解決する【０００８】    本発明はこのような従来の発明が有していた課題を解決することを目的に考案されたものであり、発電機と充電器の可動を確実に行はせるものであり発電と充電が確実になされる【０００９】    また、課題解決の為、該モーターに充・発電機が可動するように加工したシヤフトを取りり付ける事が必要になる【００１０】    本考案の蓄電装置は活用範囲が広く自動車・鉄道・船舶・エレベーター・エスカレーター・歩く歩道・可動機械機器分野等に及ぶものと考えられる
【図面の簡単な説明】
【００１１】
【図１】  Ａが駆動するとＢが回転するこれに伴いＣが稼動する、Ｄ・蓄電池Ｅは懸架部品であることを表示する配置図
【図２】  Ｇが駆動するとＦが回転するこれに伴いＨが稼動することを表示する配置図
【符号の説明】
【００１２】Ａ・モーター  Ｂ・シャフト  Ｃ・充発電機  Ｄ・蓄電池  Ｅ・懸架部材  Ｆ・車輪  Ｇ・車軸  Ｈ・オルトネイター
【図１】
2009261205.tif 000003
【図２】
2009261205.tif 000004
【手続補正書】
【提出日】平成21年1月13日(2009.1.13)
【手続補正１】
【補正対象書類名】特許請求の範囲
【補正対象項目名】全文
【補正方法】変更
【補正の内容】
【特許請求の範囲】
【請求項１】
発電機の可動軸が駆動することにより走行スペ−ス上で発電機が走行可能になるよう仕組み、該走行スペ−スを蓄電池で走行する牽引車両に該発電機を連結し、該牽引車両の走行に伴い発電機が稼動するように構成したことを特徴とする発電機稼動システム。
【請求項２】
前項発電機の可動軸を蓄電池で駆動するように構成したことを特徴とした発電機。
【手続補正２】
【補正対象書類名】明細書
【補正対象項目名】０００６
【補正方法】変更
【補正の内容】
【０００６】発電機を合理的に稼動する事が出来ず今日に至っているこの課題を解決するため当システムを考案した。
【手続補正３】
【補正対象書類名】明細書
【補正対象項目名】０００７
【補正方法】変更
【補正の内容】
【０００７】本考案はこのような従来の発明が有していた課題を解決するもので発電機稼動の役割を蓄電池で駆動する牽引車両若しくは発電機の走行に担わせるののである。
【手続補正４】
【補正対象書類名】図面
【補正対象項目名】図１
【補正方法】変更
【補正の内容】
【図１】
2009261205.tif 000005
【手続補正５】
【補正対象書類名】明細書
【補正対象項目名】００１１
【補正方法】変更
【補正の内容】
【００１１】
【図１】Ａが駆動すればＢが稼動する。Ｃは走行レ−ル基盤Ｄは走行レ−ルであることを表示する配置図
【手続補正６】
【補正対象書類名】明細書
【補正対象項目名】００１２
【補正方法】変更
【補正の内容】
【００１２】Ａ牽引車輌  Ｂ発電機  Ｃ走行レ−ル基盤  Ｄ走行レ−ル
(57)【要約】【課題】 従来の視覚障害者用ステッキに、非接触式センシング機能をもたせることにより、センシング可能範囲を飛躍的に向上させ、使用者の不安感を軽減する。【解決手段】 ステッキを手に持った状態を基準として、前方にレーザセンサを取り付ける。レーザセンサの信号出力を隣接配置した演算回路に伝達、そこでV-F変換、および微分処理し、それぞれスピーカおよび電磁石に出力する。手前に取り付けたスピーカで障害物までの距離に対応した周波数の振動音を、レーザスポットが障害物の輪郭から外れた場合には、電磁石で単発の機械的ショックを発生させ操作者に知らせる。逆に障害物の輪郭に入った場合も同じ動作をする。ステッキを振ってレーザの照射方向を任意に変え掃引することで、障害物までの距離とその大きさ・輪郭をセンシング可能とする。【選択図】図１
2009261434.tif 000002
【特許請求の範囲】
【請求項１】
市販のステッキ(1)に、レーザーセンサ(3)および演算回路(5)とスピーカ(4)、並びに電磁石(6)を取り付けた、視覚障害者用電子ステッキ。
【請求項２】
レーザーセンサ(3)は、対象物との距離に対応した信号を出す機能を持ち、その信号成分を2種類に演算し出力することを特徴とする、視覚障害者用電子ステッキ。
【発明の詳細な説明】
【技術分野】
【０００１】
本発明は、従来のステッキの機能を大幅に向上させた、視覚障害者用電子ステッキに関
するものである。
【背景技術】
【０００２】
従来の視覚障害者用ステッキは、長さが約900mm前後の、頂部に握り手を配置したシン
プルな構造の棒である。また、長さが調節できる構造のものあり、軽く丈夫にできている。
【０００３】
主な使い方は、歩行時の前方足元の障害物と道路の表面状態のセンシングであるが、その検知範囲はステッキの長さに制約され、昨今の車のマナーの低下も相俟って、一寸先は
闇の不安がぬぐえない。視覚障害者が街中を歩く時は、常に神経を張り詰める必要があり、相当な精神的ストレスを伴なう。
【０００４】
この改善策として、長いステッキを、軽い材料で製作する方法があるが、長くすると
逆に取扱に不便で周囲に迷惑をかけることにもなり、実用に耐えないという問題が出る。
特許文献調査においても、これを解決した文献は見出せない。
【特許文献１】特開2007-14533  エリアセンシング装置付き白杖
【特許文献２】特開2006-11600  白杖センサおよび歩行者支援装置
【特許文献３】実用新案登録第3106982号  電子式盲人用案内ステッキ
【発明の開示】
【発明が解決しようとする課題】
【０００５】
解決しようとする問題点は、従来の杖の不備、即ち、センシング可能範囲の狭さを改善
することにある。
【課題を解決するための手段】
【０００６】
本発明は、課題解決のために、レーザーセンサ、信号演算回路、スピーカ、電磁石を、
市販のステッキに取り付けた構造を主な特徴とする。
【発明の効果】
【０００７】
本発明は、従来のステッキの形状を踏襲したことにより、取り扱いは従来どおりで
難しい使用方法を覚えなくとも感覚的に使える。しかも、障害物の検知距離範囲が広く、対象物の大きさの感覚までをも得られるため、使用者の不安が低減できる、という利点が
ある。
【発明を実施するための最良の形態】
【０００８】
演算回路・スピーカ・電磁石を、1つにまとめ、レーザセンサおよび操作ボタンと共に
市販のステッキに後付け可能とした。
【実施例】
【０００９】
図1は、本発明の全体図であって、1は市販ステッキ、2は操作ボタン、3はレーザセ
ンサ、4はスピーカ、5は演算ユニット、6は電磁石、である。7,8は信号ケーブルである。
距離計測用のアナログ信号を出力するレーザセンサは市販されているため、その動作原
理については、省略する。
【００１０】
操作ボタン2を押すと、レーザセンサ3から、レーザ光9が発射され、対象物との距離
に比例したアナログ信号がレーザセンサ3から信号ケーブル8経由で、演算ユニット5に
送られ、そこでV-F変換してスピーカ4から振動音10を出力する。
【００１１】
振動音10は、対象物との距離に応じて約8Hz（遠い）〜35Hz（近い）の間で周波数
がリニアに変化するので、操作者は距離感を音の高低で感覚的に理解する。操作ボタン2
から指を離すと振動音10は停止する。
【００１２】
レーザ光9は、直径約3mmのビームのため、操作ボタン2を押した状態で、レーザス
ポットが対象物の外郭から外れた場合は、レーザセンサ3からのアナログ信号は急激に変
化する。この急激に変化した信号を、演算回路5で微分処理し単発のパルス信号に変換、
電磁石6に出力する。
【００１３】
電磁石6は、パルス信号により単発の機械的ショックを発生し、取り付け部分を伝播し
てステッキの握り手にまで到達し、操作者に対象物の輪郭が存在することを知らせる。
そのショックは、対象物の輪郭を外れる瞬間に発生するため、操作者が故意にステッキの
向きを変えてレーザスポットの位置を変えてセンシングするならば、対象物の大きさの感
覚が得られることになる。
これは、非接触であるにも関わらず、如何にも対象物に触れているかのような感覚でもあ
り、レーザセンサ3のセンシング可能範囲内(5m)で有効であることから、あたかも、5mの
非常に長いステッキを持っているかのような感覚でもある。
【００１４】
なお、レーザセンサ3は市販品であるため、センシング可能範囲はメーカ性能に左右さ
れるが、使用能範囲が過大であっても操作者が混乱するため、5m以下に設定した。
【００１５】
図2は、本発明の信号ブロック図であり、演算回路の動作原理については広く一般知られている技術であるので省略する。
【産業上の利用可能性】
【００１６】
本発明は、視覚障害者用用電子ステッキとしての用途を主眼においたが、車載用の障害
物検知装置としての用途にも応用できる。
【図面の簡単な説明】
【００１７】
【図１】本発明の全体図である。
【図２】本発明の信号ブロック図である
【符号の説明】
【００１８】
１  市販ステッキ
２  押ボタン
３  レーザセンサ
４  スピーカ
５  演算回路ユニット
６  電磁石
７  信号ケーブル（押ボタン〜演算回路ユニット）
８  信号ケーブル（レーザセンサ〜演算回路ユニット）
【図１】
2009261434.tif 000003
【図２】
2009261434.tif 000004
(57)【要約】【課題】ペット用スコップがケースに納まりなおかつ１っのケースに２通りの収納が出来清潔感のあるペット用スコップ立てケースを提供する。【解決手段】ホタテ型の手持ちやすい形のペット用スコップ立てケース。中型の入れ口の長さは約９５ｍｍ幅４０ｍｍその後の仕切空感約７５ｍｍその後に大型の入れ口その入れ口の長さは約１３０ｍｍ幅約１００ｍｍケースの高さは１３０ｍｍの１つのケースに２通りのスコップが入れることが特徴とするケース。【選択図】図１
2009261386.tif 000002
【特許請求の範囲】
【請求項１】
ホタテ型のスコップ立てケースで１っのケースに２通りのスコップの入れかたが出来ることを特徴とするペット用スコップ立てケース。
【発明の詳細な説明】
【技術分野】
【０００１】  本発明は猫用のスコップをケースに入れ清潔に見たたせる猫用スコップ立てケースに関するものである。
【背景技術】
【０００２】  ペット用トイレはスコップとセットで売られています。
スコップのみ買い求めても前からある猫用トイレにくっける事が出来ません。新しく買い求めたスコップは壁に紐で吊るす様な形です。それでケース付だとスコップのみ買い求めた方たちも清潔できれいにおさめることが出来る。
【発明の開示】
【発明が解決しようとする課題】
【０００３】  １っのケースに２通りのスコップがきれいで清潔におさまることが出来る猫用スコップ立てケースを本発明の課題とした。
【課題を解決するための手段】
【０００４】  さまざまな猫用スコップを拝見した結果本発明に至った。
本発明は形良くきれいで清潔感有るホタテ型スコップ立てケース。その中形の入れ口の長さは約９５ｍｍ幅約４０ｍｍその後に仕切りを作り、仕切りと仕切りの間約７５ｍｍの空感を間け、その後に大形の入れ口その入れ口の長さは約１３０ｍｍ幅は約１００ｍｍケースの高さは１３０ｍｍの１ケースに２通りのスコップが入れる事が特徴とするケースである。
【発明の効果】
【０００５】  このケースは清潔感がモットーで、かつ２通りの入れかたが出来る猫用スコップ立てケースです。
【発明を実施するための最良の形態】
【０００６】  本発明の形態を図１、図２、図３、に示しました。
ケースの材質には特に限定しないが材質の強度に合わせ適宜調整する。図１中形のケース入れ口にスコップがすっきりに入れた様子。その中形の入れ口の長さ約９５ｍｍで幅は４０ｍｍです。
図２はケースにスコップをゆったりめに入れた入れ口でその大型の入れ口の長さは約１３０ｍｍで幅は約１００ｍｍです。
図３は仕切りと仕切りの間約７５ｍｍです。
【図面の簡単な説明】
【０００７】
【図１】本発明のケースの斜視図
【図２】本発明のケースの斜視図
【図３】本発明のケースの平面図
【符号の説明】
【０００８】１、ケース手取り
２、仕切り
３、中型の入れ口
４、大型の入れ口
５、スコップ
６、ケースの高さ
【図１】
2009261386.tif 000003
【図２】
2009261386.tif 000004
【図３】
2009261386.tif 000005
(57)【要約】【課題】    従来、自宅で本格的なフルコース料理を作ることは難しく、専門店まで出掛け、高額なお金を支払って食べるのが普通であった。近年では、冷凍食品技術、多機能電子レンジの普及、流通させるための容器や包装材が発達しても、フルコース料理を冷凍食品として商品化されることがなかった。【解決手段】    耐冷凍、耐多機能電子レンジのトレー容器にフルコース料理のメニュー食材を充填して、各メニュー食材に適した多機能電子レンジの機能を指定して調理することで専門店で味わえるような本格的なフルコース料理を自宅で安価に簡単調理で食べることが可能になる。【選択図】図３
2009261400.tif 000002
【特許請求の範囲】
【請求項１】
インスタント食品に世界のフルコース料理の性格を持たせたものである。
例えばフランスのフルコース料理では、一つのトレー容器に複数の窪みを作りオードブル、スープ、パン、魚料理、肉料理、ソルべ、ロースト、サラダ、チーズ、ケーキ、フルーツの一連のコース料理メニューを順番に設定する。日本料理、中華料理等、世界のフルコース料理に対応できる。
【請求項２】
トレー容器は各窪みの切り離しが容易なミシン目入りもしくはケイ入り加工を施した容器を使用する。窪みの形状は入る食材の形に適したものにする。内装用蓋材はトレー容器の中の食材が確認でき、貼り合わせのできる透明なラミネートフィルムを使用し、窪みの食材の真上にくるように多機能電子レンジでの調理方法を印刷する。調理方法はあくまでも多機能電子レンジの機能を駆使したものでトレー容器から取り出して煮たり、焼いたり、蒸したりの別工程や別作業は除く。コースの順番にコースメニュー食材の入ったトレーの窪みを切り離して内装用蓋材に書いてある調理方法に従い多機能電子レンジに入れ調理する。
【請求項３】
流通を冷凍、調理を電子レンジでおこなうためトレー容器と内装用蓋材は耐冷凍・耐多機能電子レンジの材質とする。
【請求項４】
冷凍状態にあるトレー容器に入っているフルコース料理を食べる直前に各トレーを切り離し、蓋材に表記された電子レンジの調理方法に基づき電子レンジにセットし調理する。調理後、皿に移し替えて食する。また、トレー容器のまま食してもよい。複数人の調理をおこなう時は、人数分の切り離したトレーを電子レンジにセットし調理後、各人の皿に分けると効率的である。
【発明の詳細な説明】
【技術分野】
【０００１】
本発明は、フルコース料理の食材を耐冷凍、耐多機能電子レンジのトレー容器と内装蓋材を利用することによって専門店でのみで味わうことができたフルコース料理を自宅に居ながら安くそして簡単に食することができるようにした。
【技術背景】
【０００２】
現在、フランス料理等のフルコース料理を食べたいと思った時は、専門店に行くのが一番簡単であるが値段が高額である。家庭で、安価に食する手段がない。
【０００３】
この改善策として、トレー容器を利用してコース数に応じた窪みに各メニュー食材を置いて流通させることによって家庭で食することが可能になる。
【発明の開示】
【発明が解決しようとする課題】
【０００４】
解決しようとする課題は、素人では調理の難しいフルコース料理を自宅で安く簡単にプロの味をいかにして供給するかである。
【課題を解決するための手段】
【０００５】
本発明は、耐冷凍、耐多機能電子レンジのトレー容器と多機能電子レンジでの調理方法を印刷した内装用のラミネート蓋材を採用する。多機能電子レンジでの調理方法は各メニュー食材によって違うため一個一個のメニュー食材と調理方法が一致するようにする。トレー容器の窪みと窪みの間の仕切りに切り離し可能なミシン目またはケイ入れ等の加工を施す。そこにフルコース料理の各メニュー食材をトレー容器の窪みにコース順に充填し、包装、冷凍流通、冷凍販売する。調理時にコース順に窪みを外し内装蓋材の多機能電子レンジ調理方法の説明文に従い多機能電子レンジを設定し、調理する。
【発明の効果】
【０００６】
本発明は、自宅に多機能電子レンジがあれば安価に、短時間で、簡単にフランス料理等のフルコース料理を食することができるようになる。
【発明を実施するための最良の形態】
【０００７】
多機能電子レンジの機能をフル利用し、その機能に対応できるトレー容器、内装用蓋材の材質を選択することである。
【実施例１】
【０００８】
図1は、フルコース料理の各メニュー食材をトレー容器の窪みに食べる順番に並べて充填したところである。
【実施例２】
【０００９】
図2は、内装用蓋材に多機能電子レンジでの調理方法の説明文を印刷し、トレー容器をコースのメニュー食材ごとに切り離して多機能電子レンジに入れるときのために切り離しが容易になるようにミシン目が入った状態である。
【実施例３】
【００１０】
図3は、多機能電子レンジで調理する前のトレー容器を各メニュー食材に切り離したところである。
【産業上の利用可能性】
【００１１】
本発明はリーズナブルに、手間をかけずにかつ家庭でフルコース料理を堪能することができる。
【図面の簡単な説明】
【００１２】
【図１】フランス料理のフルコースメニューの一例（実施例１）
【図２】内装用蓋材に印刷されている多機能電子レンジ調理方法の説明文（実施例2）
【図３】トレー容器の本体からオードブルの部分を切り離して内装用蓋材の多機能電子レンジ調理方法の説明文要領で電子レンジに入れる直前（実施例3）
【符号の説明】
【００１３】
1．トレー容器
2．オードブル
3．スープ
4．パン
5．魚料理
6．肉料理
7．ソルベ
8．ロースト
9．サラダ
10．チーズ
11．ケーキ
12．フルーツ
13．ミシン目
14．内装用蓋材
15．電子レンジ調理方法の説明文
16．内装用蓋材の流れ方向
【図１】
2009261400.tif 000003
【図２】
2009261400.tif 000004
【図３】
2009261400.tif 000005
(57)【要約】【課題】  袋小と２層の袋大を中央の幅の狭い持ち手で結合し、それぞれの袋の外側に独立した持ち手を付け、袋小のみ、２層の袋大のみ、袋小と２層の袋大の両方と一つで３通りの使い方のできる３機能携帯式エコバックを提供する。【解決手段】  袋小と２層の袋大を設け、これらを中央の持ち手で結合し、それぞれの袋の外側に独立した持ち手を付けたことを特徴とする３機能携帯式エコバック。【選択図】図１
2009261868.tif 000002
【特許請求の範囲】
【請求項１】
袋小を設け、２層の袋大を設け、これらを中央の持ち手で結合し、それぞれの袋の外側に独立した持ち手を付けたことを特徴とする３機能携帯式エコバック。
【発明の詳細な説明】
【技術分野】
【０００１】  本発明は、袋小と２層の袋大を中央の持ち手で結合し、それぞれの袋の外側に独立した持ち手を付けた携帯式エコバックに関するものである。
【背景技術】
【０００２】  従来、袋を上下に仕切るエコバック又はポケットのついたエコバックがあった。
【特許文献１】特開２００６−１９８３３３号公報
【特許文献２】実用新案登録第３０４６２８５号公報
【特許文献３】実用新案登録第３１２６１８７号公報
【発明の開示】
【発明が解決しようとする課題】
【０００３】  そのために、次のような問題点があった。
（イ）買い物の内容は様々であるが、従来のエコバックは大きなものが多く、小さな大きさのものだけを買ったときにも大きなエコバックに入れなければならなかった。
（ロ）レジ袋を利用する場合食品関係と洗剤関係を別のレジ袋にしてもらうケースがあり、このことはエコバックを使用する場合にも実施したいことだが、レジは混雑している場合が多く、複雑な仕切りで分別するのは困難である。
本発明は、これらの問題を解決するためになされたものである。
【問題を解決するための手段】
【０００４】  袋小と２層の袋大を設け、それぞれの袋を幅の狭い中央の持ち手で結合する。独立した持ち手をそれぞれの袋の外側に設ける。たたむときはそれぞれ結合部分と反対の外側にそれぞれの独立した持ち手を巻き込みながらたたみ込み、マジックテープで止める。
以上を特徴とする３機能携帯式エコバックである。
【発明の効果】
【０００５】  幅の狭い中央の持ち手を中心に、小物だけを買ったときは袋小だけを開き中央の持ち手と袋小の独立した持ち手でエコバックとして使用し、大きなものだけを買ったときは袋大だけを開いて使用し、両方使用するときは中央の持ち手とそれぞれの独立した外側の持ち手の３本で３つのエコバックを使用することができる。
【発明を実施するための最良の形態】
【０００６】  以下、本発明の実施の形態について説明する。
袋小（１）を設け、２層の袋大（２）を設け、これらを幅の狭い中央の持ち手（３）で結合し、袋小（１）、２層の袋大（２）それぞれの外側に独立した持ち手（４）を装着する。使用しないときは幅の狭い中央の持ち手（３）と反対方向にそれぞれ独立した持ち手（４）を巻き込みながら折りたたみ、袋を止めるマジックテープ（５）で止める。
幅の狭い中央の持ち手（３）は常に上に出た状態で、袋小（１）と２層の袋大（２）で共通に使用する。
袋小（１）のみを使用するときは袋小（１）の袋を止めるマジックテープ（５）だけをはずし、折りたたんであった独立した持ち手（４）と幅の狭い中央の持ち手（３）で袋小（１）を提げる。２層の袋大（２）のみを使用するときは２層の袋大（２）の袋を止めるマジックテープ（５）だけをはすし、折りたたんであった独立した持ち手（４）と幅の狭い中央の持ち手（３）で２層の袋大（２）を提げる。袋小（１）、２層の袋大（２）を同時に使用するときはそれぞれの袋を止めるマジックテープ（５）をはずし、それぞれの折りたたんであった独立した持ち手（４）と幅の狭い中央の持ち手（３）の３本の持ち手で袋小（１）２層の袋大（２）を提げる。
又、古くなったズボンを利用して３機能携帯式エコバックを作ることもできる。
ズボンの股の部分（７）の少し上を切取り前後のふくらみ（８）を内側に折込み、股の部分（７）と共に２層の袋大（２）の仕切り（１０）を設ける。脚の部分を袋大（２）の長さで切り、下部をそれぞれ縫い合わせ、２層の袋大（２）と同じ形の部分（６）を設ける。残った下の部分（９）の片側で袋小（１）を設け、他の片側の残った下の部分（９）で幅の狭い中央の持ち手（３）と独立した持ち手（４）を設ける。以上を使用して３機能携帯式エコバックを作成すことにより、更に環境対策に有効となる。
【図面の簡単な説明】
【０００７】
【図１】  本発明の平面図
【図２】  本発明の折りたたみ時の正面図
【図３】  本発明の折りたたみ時の側面図
【図４】  本発明の袋小のみの使用時の正面図
【図５】  本発明の袋小、２層の袋大使用時の側面図
【図６】  本発明の古いズボンの部分説明図
【図７】  本発明の古いズボンの２層の袋大の平面図
【符号の説明】
【０００８】    １  袋小
２  ２層の袋大
３  幅の狭い中央の持ち手
４  独立した持ち手
５  袋を止めるマジックテープ
６  袋大と同じ形の部分
７  股の部分
８  前後のふくらみ
９  残った下の部分
１０  ２層の袋大の仕切り
【図１】
2009261868.tif 000003
【図２】
2009261868.tif 000004
【図３】
2009261868.tif 000005
【図４】
2009261868.tif 000006
【図５】
2009261868.tif 000007
【図６】
2009261868.tif 000008
【図７】
2009261868.tif 000009
(57)【要約】【課題】  既存の様々な石鹸置きに装着して使用するもので、耐久性のあるシリコンゴム等を用い、外側の土台となる輪状のゴムに中央の土台を通るゴムを放射線状に渡した石鹸置き容器適応万能式の放射線状ゴムの固形石鹸置きを提供する。【解決手段】  外側の土台となる輪状のゴムに中央の土台を通るゴムを放射線状に渡したことを特徴とした石鹸置き容器適応万能式の放射線状ゴムの固形石鹸置き。【選択図】図１
2009261869.tif 000002
【特許請求の範囲】
【請求項１】
外側の土台となる輪状のゴムを設け、その中央に中心となる土台を設け、その外側の土台となる輪状のゴムに中央の土台を通るゴムを放射線状に渡すことを特徴とする石鹸置き容器適応万能式の放射線状ゴムの固形石鹸置き。
【発明の詳細な説明】
【技術分野】
【０００１】  本発明は、石鹸置き容器に装着するもので、外側の土台の輪状のゴムに中央の土台を通るゴムを放射線状に渡した固形石鹸置きに関するものである。
【背景技術】
【０００２】  従来、プラスチックなどでできた固形石鹸置きがあった。
【特許文献１】  実用新案登録第３１１８７９３号公報
【特許文献２】  特開２００５−２３７７５１号公報
【特許文献３】  特開平８−１４０８８５号公報
【特許文献４】  実用新案登録第３０２４８５４号公報
【発明の開示】
【発明が解決しようとする課題】
【０００３】  そのために、次のような問題点があった。
（イ）固形石鹸は溶けやすく、使った後石鹸ケースとの接触面が大きいと石鹸のしずくや残った水分に常に接触している状態となり、消耗が早く、又水を切ることが困難であった。
（ロ）石鹸ケースに溶けた石鹸が着いて固まり、取除くのが困難であった。
本発明は、これらの問題を解決するためになされたものである。
【問題を解決するための手段】
【０００４】  外側の土台の輪状のゴムに中央の土台を通るゴムを放射線状に渡す。
以上を特徴とする放射線状ゴムの固形石鹸置きである。
【発明の効果】
【０００５】  土台及び放射線状の部分がゴムのため、多様な形の容器に柔軟にかぶせることができ、ゴムのため上に置いた石鹸が滑らず、また放射線状の中央は隙間が小さいため、小さくなった石鹸も下に落ちにくいため、溶け難い面からも小さくなった固形石鹸を使用できることからも経済的である。
【発明を実施するための最良の形態】
【０００６】  以下、本発明の実施の形態について説明する。
外側の土台となる輪状のゴム（１）に中央の土台（２）を通る放射線状のゴム（３）を放射線状に渡す。
本発明は以上のような構成で、これを使用するときは、石鹸置き又は石鹸置きに使用する容器に外側の土台となる輪状のゴム（１）をかぶせる。中央の土台を通る放射線状のゴム（３）の上に固形石鹸を置く。
シリコンゴム等には弾力があるので容器の底まで下がらず、またゴムが細いので固形石鹸との接触面が小さいため、固形石鹸を宙に浮いた状態で保つことができ、石鹸の水切り、乾燥を効率よくすることができる。
中央の土台（２）部分は隙間が小さく、小さくなった固形石鹸が隙間から下に落ちにくくなる。
既存の石鹸容器にかぶせて使用することができるほか、カラーの素材を使用し、コップや小皿などにかぶせてデザイン性のある固形石鹸置として使用することもできる。
【図面の簡単な説明】
【０００８】
【図１】  本発明の平面図
【図２】  本発明の既存の固形石鹸置きに装着したときの斜視図
【図３】  本発明の実施例の斜視図
【図４】  本発明の他の容器に装着したときの斜視図
【図５】  本発明の他の容器に装着したときの実施例の斜視図
【符号の説明】
【０００９】  １  外側の土台となる輪状のゴム
２  中央の土台
３  中央の土台を通る放射線状のゴム
【図１】
2009261869.tif 000003
【図２】
2009261869.tif 000004
【図３】
2009261869.tif 000005
【図４】
2009261869.tif 000006
【図５】
2009261869.tif 000007
(57)【要約】【課題】  四つ角に脚のある長方形の土台に、四つ角に脚のある長方形の土台の長方形の長辺を底辺とする三角形の支持棒を設け、長辺を底辺とする三角形の支持棒に着脱可能な三角形の吊棒を設けた吊るし型併用洗面器立てを提供する。【解決手段】  四つ角に脚のある長方形の土台を設け、四つ角に脚のある長方形の土台の長辺を底辺とする三角形の支持棒を設け、長辺を底辺とする三角形の支持棒に着脱可能な三角形の吊棒を設けたことを特徴とする吊るし型併用洗面器立て。【選択図】図１
2009261867.tif 000002
【特許請求の範囲】
【請求項１】
四つ角に脚のある長方形の土台を設け、その土台の四つ角にその土台の長方形の長辺を底辺とする三角形の支持棒を設け、長辺を底辺とする三角形の支持棒に着脱可能な三角形の吊棒を設けたことを特徴とする吊るし型併用洗面器立て。
【発明の詳細な説明】
【技術分野】
【０００１】  本発明は、洗面器の収納、水きりのための吊るし型併用洗面器立てに関するものである。
【背景技術】
【０００２】  従来、壁に掛ける洗面器の収納具があった。
【特許文献１】特開２００２−２０９７８７号公報
【特許文献２】特開２００５−８７５５９号公報
【特許文献３】特開２００５−９５４４５号公報
【特許文献４】特開２００５−８７５６０号公報
【発明の開示】
【発明が解決しようとする課題】
【０００３】  そのために、次のような問題点があった。
（イ）洗面器は幅や厚みがあり、収納するのが困難であった。
（ロ）洗面器は風呂場に置くのが通常であり、水が切れにくくカビなどがはえる可能性が高く、衛生面からも問題があった。
本発明は、これらの問題を解決するためになされたものである。
【問題を解決するための手段】
【０００４】  四つ角に脚のある長方形の土台を設け、その土台の四つ角に長方形の長辺を底辺とする三角形の支持棒を設ける。
以上を特徴とする吊るし型併用洗面器立てである。
【発明の効果】
【０００５】  洗面器を立てた状態で保ち他の部分と殆ど接触しないため、洗面器の中に残った水が下へ流れそのまま乾かすことができる。
縦にも横にもできるため、収納スペースが狭いところにも置くことができる。
また、三角形の吊棒を装着することにより吊ることもでき、脚をまたがせれば既存のシャンプー台などに装着することもできる。
【発明を実施するための最良の形態】
【０００６】  以下、本発明の実施の形態について説明する。
四つ角に脚のある長方形の土台（１）を設け、その四つ角に脚のある長方形の土台（１）の四つ角に長辺を底辺とする三角形の支持棒（２）を設ける。四つ角に脚のある長方形の土台（１）の短辺側から洗面器を立てた状態で入れ、四つ角に脚のある長方形の土台（１）の真中の空間部分に洗面器の下側をはめ込み、長辺を底辺とする三角形の支持棒（２）で洗面器の前後を支える。
本発明は以上の構成でこれを使用するときは、四つ角に脚のある長方形の土台（１）の短辺側から洗面器を立てた状態で挿入する。中央まで挿入すると洗面器の下側が、四つ角に脚のある長方形の土台（１）の長方形部分の真中の空間に落ちる状態ではまる。前後を長辺を底辺とする三角形の支持棒（２）が支えるので洗面器は立った状態を保つことができる。洗面器が立った状態のため水が下に流れ水分を完全に無くすことができる。また面での接触部分が無いためそのまま乾燥させることができ、カビや雑菌の繁殖を防ぐことができ、衛生面にも効果がある。
吊るして使用する場合には、長辺を底辺とする三角形の支持棒（２）の上部分に三角形の吊棒（３）を装着し、洗濯物やタオルを干す棒などに吊ることができる。
また、既存のシャンプー台などの上に四つ角に脚のある長方形の土台（１）の脚部分をまたがせて置くこともできる。
【図面の簡単な説明】
【０００７】
【図１】  本発明の斜視図
【図２】  本発明の側面図
【図３】  本発明の実施例の正面図
【図４】  本発明の実施例の斜視図
【図５】  本発明の実施例の側面図
【図６】  本発明の三角形の吊棒
【符号の説明】
【０００８】    １  四つ角に脚のある長方形の土台
２  長辺を底辺とする三角形の支持棒
３  三角形の吊棒
【図１】
2009261867.tif 000003
【図２】
2009261867.tif 000004
【図３】
2009261867.tif 000005
【図４】
2009261867.tif 000006
【図５】
2009261867.tif 000007
【図６】
2009261867.tif 000008
(57)【要約】【課題】本発明は，従来使用されているぞうり編み機の座して使用しなければならない、片手で縦紐を引っ張っていなければならない、また縦紐の引っ張り加減と編紐を編む力加減によってぞうりの形状が変形するため熟練を要する等の欠点を無くするものとして提供する。【解決手段】半円形の板に縦紐通し穴（６）（７）と伸縮紐に結合した鉤（８）と枠（２）の挿入口（９）（１０）を構成して枠（２）の保持体（１）とし、長方形の枠（２）を丸棒にて構成しその頭部に引っ掛け棒（３）（４）（５）を構成する。ぞうり編みが終了したならば枠（２）を抜き取って完成する。【選択図】図１
2009261865.tif 000002
【特許請求の範囲】
【請求項１】
半円形の板に縦紐通し穴（６）（７）と伸縮紐に結合した鉤（８）と枠（２）の挿入口（９）（１０）を構成して枠（２）の保持体（１）とし、長方形の枠（２）を丸棒にて構成しその頭部に引っ掛け棒（３）（４）（５）を構成してなる、ぞうり編み機。
【発明の詳細な説明】
【技術分野】
【０００１】本発明は、ぞうりの編み機に関するものである。
【背景技術】
【０００２】従来使用されているぞうり編み機は長方形の板の一端に直角に三個の突起を形成した器具が広く使われている。
【発明の開示】
【発明が解決しようとする課題】
【０００３】そのために，次のような問題点があった。
（イ）ぞうり編み機の上に座して使用しなければならない。
（ロ）縦紐を片手で引っ張っていなければならない。
（ハ）縦紐の引っ張りかたと編紐を編む力加減によってぞうりの形状が変形するため熟練を要する。本発明はこれらの問題点を解決するためになされたものである。
【課題を解決するための手段】
【０００４】半円形の板に縦紐通し穴（６）（７）と伸縮紐に結合した鉤（８）と枠（２）の挿入口（９）（１０）を構成して枠（２）の保持体（１）とし、長方形の枠（２）を丸棒にて構成しその頭部に引っ掛け棒（３）（４）（５）を構成ずる。
本発明は、以上の構成よりなる、ぞうり編み機である。
【発明の効果】
【０００５】本発明は座して使用する必要が無く、また片手で縦紐を引っ張る必要も無く両手が自由に使用出来るのである。また枠（２）によって編む為、ぞうりの形状が一定に編まれるのである。
【発明を実施するための最良の形態】
【０００６】以下、本発明の実施の形態を説明する。
イ、保持体（１）に縦紐通し穴（６）（７）と伸縮紐に結合した鉤（８）、枠（２）を挿入する挿入口（９）（１０）を構成する。
ロ、長方形の枠（２）を丸棒で形成しその頭部に引っ掛け棒（３）（４）（５）を構成する。本発明は以上の構成よりなる。
本発明を使用する場合は枠（２）を保持体（１）の枠（２）の挿入口（９）、（１０）より第１図に見るごとく挿入し、縦紐の中心を鉤（８）に掛けて左側縦紐を引っ掛棒（３）から（４）に掛けて保持体（１）の裏面より縦紐通し穴（７）から表面に出し、右側縦紐を引っ掛け棒（５）から（４）に掛けて保持体（１）の裏面より縦紐通し穴（６）から表面に出して縦紐の両端を軽く結び、網紐の一端を縦紐の中心に固定し４列になる縦紐に上下交互に編みこんで、ぞうりが規定の寸法に達したら縦紐の端の結びを外し、引っ掛棒より縦紐を外して枠（２）を抜き取り縦紐を締めて形状を整えるのである。
【図面の簡単な説明】
【０００７】
【図１】本発明の斜視図
【符号の説明】
【０００８】（１）              保持体
（２）              枠
（３）（４）（５）  引掛け棒
（６）（７）        縦紐の通し穴
（８）              鉤
（９）（１０）      枠の挿入口
【図１】
2009261865.tif 000003
(57)【要約】      （修正有）【課題】大臀筋の働きでお尻の筋肉をひきしめ、つまづき防止、足・腰が丈夫になる。血液の流れをよくする。つま先の方にゴムベルトを掛けて運動すると、下肢静脈瘤予防になる。【解決手段】足を乗せる為のキャスター付き回転台と弾力のあるゴムベルトを手で握り操作する。ゴムベルトと回転台を利用した筋肉運動具。【選択図】図１
2009261861.tif 000002
【特許請求の範囲】
【請求項１】
足を乗せる為のキャスター付き回転台と弾力のあるゴムベルトを手で握り操作することを特徴とする、ゴムベルトと回転台を利用した筋肉運動具。
【発明の詳細な説明】
【技術分野】
【０００１】  本発明は、回転台に乗せた足にゴムベルトを掛け、手で握り、股関節や膝周辺の筋肉運動を助ける為のゴムベルトと回転台を利用した筋肉運動具に関するものである。
【背景技術】
【０００２】  従来、平ゴムベルト式の健康器具等があった。
【特許文献１】  特開  ２００４−１３５７３１号公報
【発明開示】
【発明が解決しようとする課題】
【０００３】  そのために、次のような問題点があった。
（イ）その動きだけでは限られた筋肉運動しかできなかった。
（ロ）特に車軸関節の運動に関して非常に弱かった。
以上の問題点を解決しようとするものである。
【課題を解決するための手段】
【０００４】  足を乗せる為のキャスター付き回転台とゴムベルトを手で握って操作する。以上を特徴とする、ゴムベルトと回転台を利用した筋肉運動具。
【発明の効果】
【０００５】  大臀筋の働きでお尻の筋肉をひきしめ、つまづき防止、足・腰が丈夫になる。血液の流れをよくする。つま先の方にゴムベルトを掛けて運動すると、下肢静脈瘤予防になる。
【発明を実施するための最良の形態】
【０００６】  以下、実施の形態を説明する。
【実施例１】（イ）弾力のあるゴムベルト（１）に取手部（２）を設ける。
（ロ）回転台（３）にキャスター（４）を設け装着バンドを取り付ける。（５）
本発明は、以上の構成よりなっている。
本発明を使用するときは、すべての運動を横に寝て実施します。片足を交互にゴムベルト（１）を掛け、くるぶしより下内側足面に、装着バンド（５）とキャスター（４）の付いた回転台（３）を巻きつける。長さを決めたゴムベルト（１）を両手で握り、足に負荷をかける。ふみ込む足は自転車を漕ぐ要領で、回転台（３）を動かす。
【実施例２】  以下、実施の形態を説明する。
（イ）キャスターの入った台（７）
（ロ）キャスター（８）
（ハ）広めにした台（９）
本発明を使用するときは、回転台（９）を広めにし床に置きくるぶしから下の内側足面を乗せた状態で、ゴムベルト［実施例１］（１）で負荷をかけ回転運動をする方法である。
【図面の簡単な説明】
【０００７】
【図１】  本発明の斜視図（ゴムベルト）
【図２】  本発明の斜視図（実施例）
【図３】  本発明の斜視図（回転台）
【図４】  本発明の斜視図（バンドなし回転台）
【符号の説明】
【０００８】    １  ゴムベルト
２  取手部
３  キャスターの付いた台
４  キャスター
５  装着バンド
６  足面に取り付ける台
７  キャスターの付いた台
８  キャスター
９  くるぶしより下足面を乗せる台
【図１】
2009261861.tif 000003
【図２】
2009261861.tif 000004
【図３】
2009261861.tif 000005
【図４】
2009261861.tif 000006
(57)【要約】      （修正有）【課題】ホ−ムコタツ並びにテ−ブル等でパソコン並びにゲ−ム機等で楽しむときに容易にコンセントを利用できるようにする。【解決手段】ホ−ムコタツ並びにテ−ブル等の柱脚３下部に引き込み専用電源コ−ド４の挿入横孔を明け柱脚内部には縦孔を明けその先端にコンセント２を設ける。引き込み専用電源コ−ド４を柱脚３下部から挿入して柱脚の縦孔を通してコンセン２に接続、一方引き込み専用電源コ−ド４の先端には差込５を設け中間には通電開閉スイッチ６を接続する。また、複数のコンセント２が必要の場合はコンセント２を通して次の柱脚３のコンセント２に接続するため天板１下側に分電盤を設けて配線を行う。また、コンセント２上部には差込線防護装置７を設けた。【選択図】図１
2009261875.tif 000002
【特許請求の範囲】
【請求項１】
ホ−ムコタツ並びにテ−ブル等の柱脚又は袖にコンセントを付けたところが特徴である。
【請求項２】
コンセント上部に差込線防護装置を付けたところが特徴である。
【発明の詳細な説明】
【発明の詳細な説明】
【技術分野】
【０００１】  この発明は新規考案に関するものである。
ホ−ムコタツ又は座敷テ−ブル等の柱脚下部から上部に電源コ−ドを埋め込み、先端にコンセントをコンセント上部には差込線防護装置を備えたコンセント付きホ−ムコタツ並びにテ−ブルである。
【背景技術】
【０００２】  従来からコンセント付きテ−ブルはあったが、ホ−ムコタツ、座敷机等には無く、パソコン、ゲ−ム機又は携帯電話機の充電等電源コ−ドを何本も引っ張り景観を壊して困っていた。
【発明が解決しようとする課題】
【０００３】  欠陥を解決するために、コンセント引き込み専用電源コ−ドを設け、パソコン、ゲ−ム機等が身近で楽しめるようにしたい。また、友達が数人で一緒にテ−ブルを囲み通信ゲ−ムをしている姿、また、老夫婦がパソコンを囲み楽しく会話を交わしている姿を浮かべながら研究を重ねた。
【課題を解決するための手段】
【０００４】  本発明は、そんな楽しい時間を提供したい為に次のような手段を発見した。
コンセント引き込み専用電源コ−ドを設け、テ−ブルの柱脚下部より取込み柱脚内部を通して柱脚上部のコンセントに接続する。コンセントが複数必要な場合は天板下側に分岐点を設け柱脚へと配線する。一方、電源差込と柱脚の中間には開閉スイッチを付け通電不要の場合は切ることにより部屋の景観と楽しみと安心を提供することができるコンセント付きホ−ムコタツ並びにテ−ブルである。
【０００５】  また、コンセントに差した差込線は９０度近く折れ断線時には漏電による火災を招く恐れがあるため、コンセント上部に差込線防護装置を設け安全を提供できる、コンセント付きホ−ムコタツ並びにテ−ブルである。
【発明の実施形態】
【０００６】  ホ−ムコタツ並びにテ−ブルの柱脚上部にコンセントを複数設け、引き込み専用電源コ−ドを設けて電源側には差込を中間には開閉スイッチを設け、コンセント上部には差込線を保護するための差込線防護装置を施して、コンセント付きホ−ムコタツ並びにテ−ブルの完成である。
【実施例】
【０００７】  ホ−ムコタツ並びにテ−ブル等の柱脚下部に引き込み専用電源コ−ド（４）の挿入用横孔を明け、柱脚内部には縦孔を明けその先端にコンセント（２）を設ける。引き込み専用電源コ−ド（４）を柱脚下部から挿入して柱脚の縦孔を通してコンセント（２）に接続、一方引き込み専用電源コ−ド（４）の先端には差込（５）を設け中間には通電開閉スイッチ（６）を接続する。また、複数のコンセントが必要の場合はコンセントを通して次の柱脚のコンセントに接続する。その中間の天板（１）下側に分電盤を設けてたこ足配線を行う。また、コンセント上部には差込線断線保護の差込線防護装置（７）を設けることにより、コンセント付きホ−ムコタツ並びにテ−ブルを完成させることができる。
【発明の効果】
【０００８】  この発明により、コンセント付きホ−ムコタツ並びにテ−ブル等でパソコン並びにゲ−ム機等で楽しむとき容易にコンセントを利用でき、遠い処から何本も電気コ−ドを引っ張らなくて済むため便利になり、大勢が楽しめより友達関係が親密になり思い出深い少年時代が築ける。また、パソコンを見ながら交わす夫婦親子の微笑みは感動である。そんな団欒の場と気持ちよく整頓した場所と安心を提供できるコンセント付きホ−ムコタツ並びにテ−ブルである。
【図面の簡単な説明】
【図１】  全体の斜視図
【図２】  コンセント付近詳細図
【符号の説明】
１    テ−ブルの天板
２    コンセント
３    柱脚
４    引き込み専用電源コ−ド
５    差込
６    開閉スイッチ
７    差込線防護装置
【図１】
2009261875.tif 000003
【図２】
2009261875.tif 000004
(57)【要約】【課題】本発明は、室内気圧変動が供給する場所での生体形における、血流状態を保す方法を求明する事を課題として進捗する必要とした。【解決手段】本発明の本体に、こぶの部分を設ける、この先端に輪を作製して、さらにその先にある端部を乱雑にした装置であり、こぶの部分には袋を作り装着を行なう、この袋部の両端に袋止めを用いる、この状態によって袋部になる移動保護をした、この本体に及ぶ作用となるエコノミークラス症候群対応運動装置である。【選択図】図１
2009261880.tif 000002
【特許請求の範囲】
【請求項１】
本発明の本体に、こぶの部分を設ける、この先端に輪を作製してさらに、その先端部を乱雑にした装置であり、こぶの部分には、袋を作り装着を行なう、この袋部の両端に袋止めを用いる、この状態によって袋部の移動保護をした、エコノミークラス症候群対応運動装置である。
【発明の詳細な説明】
【技術分野】
【０００１】本発明は、気圧変動が少数であり、血流の対流状態に不具合が発生した条件を解消する装置とした、エコノミークラス症候群対応運動装置である。
【背景技術】
【０００２】従来に及ては、気圧変化の対策が少ない施設にあっては、各生命体になり血流を求明する必要が発生していた、なお生体形の方法とした行動では各自の手足を移動する対応とが起なわれていたが効果が減少傾向である、なお、この状態では苦去に対しても範囲を拡散する必要が生じても受け入れられない条件である。
【発明の開示】
【発明が解決しようとする課題】
【０００３】その為に次の様な間題点があった。
生命体の循環機能である血流の働きを抑える行動である、この生命体にあっては血流の保護を多数発生した状態に加えた時は、色々な機能低下が初まり、感覚の麻痺の原因を起すことになる。
又各部に及ける障害が発生し怠る事になる、ので、生命体の保護と血流を活勢出来る装置が必要であった。
本発明は、以上の問題を解決しようとする物である。
【課題を解決する為の手段】
【０００４】本発明では、本体部の途中より、こぶの部分を設定する、このこぶの手前側にループを作り輪にして固定を行なう、なお固定した部分の手前に及て本体の先端を乱雑にした、それと連座するこぶ部分の範囲内に化粧を含めた袋を装着する、又この袋では両先端に置いた部材を付ける事になる、そして袋本体の移動を押える働きとなる、この条件を進捗させる物件とした、エコノミークラス症候群対応運動装置である。
【発明の効果】
【０００５】本発明は、生命体に置ける循環機能となる、血流に及る働きを疎外させない状態を作り発展する装置とした、この装置では、ゆっくり作動させても、早く作動させても良効な結果が認められた、又生命体では血流の故舞が見受けられた、この本発明の効果としては短時間使用でも、一定時間使用しても、使用後の気分壮快条件が限りなく良効である。
【発明を実施する為の最良の形態】
【０００６】  以下、本発明の実施の形態を設明する。
イ  エコノミークラス症候群対応運動装置である、（１）本体部に（２）のこぶを設置した部材であり（３）を加工する。
ロ  （２）のこぶに連結部材として（４）の袋を装着し（５）の所にあった口径をせばめて止めた、この止めを行ない（４）の袋を使用可能とする、
ハ  本体の（１）と（６）を輪状態として加工を行ない、（３）を乱雑にして使用する。
本発明は、以上の構成になっている。
【本発明の詳細】
【０００７】  エコノミークラス症候群対応運動装置では、図２よりの設明とする。
あ‥‥まず椅子に座った状態となり時間経過に供なって来ると血流の運動量が少なる様な状況における状況変化が起ります、この様な状態を緩和する方法として（ア）足裏に（１）本体を輪の状態にして（６）の輪を（１）に通して手に（６）の輪を持ちつ足裏部を（１）へ入れ玉転がしとして前後に動かします、この時に両足を入れて行なう運動と片足づつ行なう事が出来ます、なお足裏部では（２）におけるこぶ状の上に乗り進行する事になる。
い‥…次に（イ）（ウ）の所に移動を行ないふくらはぎ又は、筋肉を堪能します。この状況によって良効な血流が行なわれます。
う‥…次に椅子の座の部分では（１）本体を大きい輪にして作りその上に腰を据えて行ないます、この条件に置いては各乗物にある椅子を使用する状態で行なう事が可能となり本発明品は移動ケイタイの運搬が出来ます。
え‥‥次に（１）本体を背もたれ部にて使います、この時には左右移動にて使用する事により片コリ解消が行なわれます。
お‥‥次に立姿を取り腰部に一周させ（１）と（６）を両手に持ち左右に移動して行ない片にタスキ掛に運動を行ないます。
か‥…次に（１）と（６）の先端に用いた（３）の乱雑部を両手で持ち（キ）の耳の運動を行ない（７）の顔全体、首を運動する事になります。
き‥…次にお風場にて使用出来る（１）本体の部材を使用します。
く‥…この一連の行程に及ける運動作用により、リハビリ関係又はドライバーの快適さを作り４０才、５０才の成人病の緩和にも利用が出来る事になり、エコノミークラス症候群対応運動装置として使える条件とした。
け‥…本発明では、パソコン並びにプログラマーに良効な作用が進捗出来る事にもなる。
【図面の簡単な説明】
【０００８】
【図１】本発明の全体図
【図２】本発明の仕様図
【符号の説明】
【０００９】１    本体
２    本体のこぶ部
３    本体の乱雑部
４    （２）の袋
５    （４）の止め部
６    本体の輪と（１）の輪
ア    椅子
イ    足ふくらはぎ部
ウ    足筋肉部
エ    座部
オ    背部
カ    腰部
キ    耳部
ク    顔部、首部
【図１】
2009261880.tif 000003
【図２】
2009261880.tif 000004
(57)【要約】【課題】ファスナー付きの靴を履いたり脱いだりするのを、より容易にする。【解決手段】本発明は、従来の靴ベラの柄２の先端部にフック４を取り付け、靴のファスナーのつまみを引っ掛けられるようにし、ファスナー付きの靴を履いたり脱いだりする時の腰や膝の屈折負担を軽減したもので、特に老人や太った人に役立つ。【選択図】図１
2009261878.tif 000002
【特許請求の範囲】
【請求項１】
長尺の柄を有する靴ベラの柄（２）の先端部にフック（４）を設けたことを特徴とするフック付き靴ベラ（１）。
【発明の詳細な説明】
【技術分野】
【０００１】本発明は、ファスナー付き靴を履いたり脱いだりする時、腰や膝を深く曲げる事なくスムーズに出来る靴ベラに関する。
【背景技術】
【０００２】ファスナー付の靴は、履いたり脱いだりするのがファスナーのないものより楽である。しかし、そのファスナーを開閉するには、深く腰や膝を屈めないといけない。特に、足腰の弱い老人や太った人は大変である。それを容易にする提案は殆どなされていない。
【発明の開示】
【発明が解決しようとする課題】
【０００３】本発明は、上記の課題を解決しようとするものである。
【課題を解決する為の手段】
【０００４】本発明のフック付き靴ベラ１は、長尺の柄を有する靴ベラの柄２の先端部にフック４を設けたこと特徴としている。
【０００５】本発明でいう長尺の柄を有する靴ベラとしては、使い易さの点から長さ３０ｃｍ以上が望ましい。そして、携帯用には、この柄が折りたたみ可能となされているものであってもよい。
【発明の効果】
【０００６】本発明のフック付き靴ベラ１を用いれば、ファスナー付き靴のファスナーのつまみの穴にフック４を引っ掛けて引くことにより、腰や膝を深く屈める事なく容易に履いたり脱いだり出来る。
【発明を実施する為の最良の形態】
【実施例１】
【０００７】以下、本発明の実施の一例を、図１を用いて説明する。従来あるプラスチック製の柄の長さが３０ｃｍの靴ベラの柄２の先端部に、幅５ｍｍで先端にいくにしたがい徐々に幅が細くなっているフック４を取り付けた。かくして得られたフック付き靴ベラ１は、従来の靴ベラ同様ヘラ部３を利用すれば靴が履き易く、さらにファスナー付きの靴を履いたり脱いだりする時にフック４を靴のファスナーのつまみの穴に引っ掛けて引っ張れば容易に靴の着脱が出来た。
【実施例２】
【０００８】次に、本発明の他の実施の例を、図２を用いて説明する。実施例１の柄２の長手方向の中央（先端から１５ｃｍ）のところにヒンジ部５を設け、二つ折り可能にしたものである。実施例１と同様に柄２の先端部にフック４を設けた。かくして得られたフック付き靴ベラ１は、二つ折りに出来るため携帯に便利である。
【産業上の利用の可能性】
【０００９】本発明は、ファスナー付きの靴を履いたり脱いだりする時、腰や膝の屈折負担を少なく出来るので、特に老人や太った人に有効な靴ベラである。
【図面の簡単な説明】
【００１０】
【図１】本発明のフック付き靴ベラ１の実施の一例を示す説明図である。
【図２】本発明のフック付き靴ベラ１の他の実施の例を示す説明図である。
【符号の説明】
【００１１】１．  フック付き靴ベラ
２．  柄
３．  ヘラ部
４．  フック
５．  ヒンジ部
【図１】
2009261878.tif 000003
【図２】
2009261878.tif 000004